(57)【要約】【課題】多数のＬＥＤチップ１２，２２，３２を光源として内蔵し、かつ眩しさを緩和できるＬＥＤ電球１０，２０，３０を提供する。【解決手段】モジュール基板１３を放熱体１１の上端面１１ａの台座１１ｂに立てて並べることにより、ＬＥＤ電球１０の光源として多数のＬＥＤチップ１２を放熱体１１に設ける、ＬＥＤ電球１０の光量の増大を図る。モジュール基板群を単一の光拡散部材１７で覆ってＬＥＤチップ１２の光を拡散させることにより、光源が点光源となる多数のＬＥＤチップ１２から成るにもかかわらず、恰も一つの大きくて、柔らかな光を発する光源を備えたＬＥＤ電球１０のように発光させる。【選択図】図１
2015026423.tif 000002
【特許請求の範囲】
【請求項１】
ＬＥＤチップを実装したモジュール基板を放熱体の一端に固定し、放熱体の他端側に絶縁体を介して口金を取り付け、ＬＥＤチップに電力を供給する点灯回路を放熱体及び／又は口金の内部に配置し、点灯回路と口金を電気的に接続し、透光性材料から成るグローブの開口端部を、モジュール基板を覆うように放熱体の一端に装着したＬＥＤ電球であって、
複数枚のモジュール基板を放熱体の一端に立てて設けることによりモジュール基板群を形成し、表面を梨地加工した透光性の合成樹脂材又はガラス材を中空構造に成形した単一の光拡散部材でモジュール基板群を覆い、光拡散部材をグローブで覆ったことを特徴とするＬＥＤ電球。
【請求項２】
前記モジュール基板の表裏両面にＬＥＤチップを実装したことを特徴とする請求項１に記載のＬＥＤ電球。
【発明の詳細な説明】
【技術分野】
【０００１】
本発明は、ＬＥＤチップを光源として内蔵するＬＥＤ電球に関する。
【背景技術】
【０００２】
近時、消費電力の大きい白熱電球に代えて、消費電力の少ないＬＥＤチップを光源として用いるＬＥＤ電球の需要が高まっている。
一般に、この種のＬＥＤ電球は例えば、特開２０１１−７０９７２号公報、特開２０１１−８２１３２号公報、特開２０１１−９０８２８号公報、特開２０１１−９１０３３号公報に開示されているように、ＬＥＤチップを実装したモジュール基板を放熱体の一端に固定し、放熱体の他端側に絶縁体を介して口金を取り付け、ＬＥＤチップに電力を供給する点灯回路を放熱体及び／又は口金の内部に配置し、点灯回路と口金を電気的に接続し、透光性材料から成るグローブの開口端部を、モジュール基板を覆うように放熱体の一端に装着した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
ところで、ＬＥＤチップを実装したモジュール基板の数を増やせば、ＬＥＤ電球の光量が増大するが、上記した従来のＬＥＤ電球では、モジュール基板の板面を放熱体の上端面に接するように固定している。しかし、放熱体の上端面の面積は限られているので、放熱体に取り付けることができるモジュール基板の数も自ずと限定され、ランプ光量を大きくすることが困難である。
また、光源として多数のＬＥＤチップを備えたＬＥＤ電球では、各ＬＥＤチップが高輝度の点光源となるので、うっかり直視した場合、眩しくて眼に悪影響を及ぼすおそれがある。
本発明はかかる問題点に鑑み、多数のＬＥＤチップを光源として内蔵し、かつ眩しさを緩和できるＬＥＤ電球を提供することを目的とする。
【課題を解決するための手段】
【０００５】
請求項１に記載の発明は、
ＬＥＤチップを実装したモジュール基板を放熱体の一端に固定し、放熱体の他端側に絶縁体を介して口金を取り付け、ＬＥＤチップに電力を供給する点灯回路を放熱体及び／又は口金の内部に配置し、点灯回路と口金を電気的に接続し、透光性材料から成るグローブの開口端部を、モジュール基板を覆うように放熱体の一端に装着したＬＥＤ電球であって、
複数枚のモジュール基板を放熱体の一端に立てて設けることによりモジュール基板群を形成し、
表面を梨地加工した透光性の合成樹脂材又はガラス材を中空構造に成形した単一の光拡散部材でモジュール基板群を覆い、光拡散部材をグローブで覆ったことを特徴とする。
【０００６】
請求項２に記載の発明は、請求項１に記載のＬＥＤ電球において、前記モジュール基板の表裏両面にＬＥＤチップを実装したことを特徴とする。
【発明の効果】
【０００７】
請求項１に記載の発明によれば、モジュール基板を放熱体の一端に立てて設けるので、面積が限られた放熱体の一端に複数本のモジュール基板を取り付けることができる。そのため、ＬＥＤ電球の光源として多数のＬＥＤチップを放熱体に設けることができ、ＬＥＤ電球の光量の増大を図ることができる。
【０００８】
また、モジュール基板群を単一の光拡散部材で覆ってＬＥＤチップの光を拡散させるので、光源が多数の点光源となるＬＥＤチップから成るにもかかわらず、恰も一つの大きくて、柔らかな光を発する光源を備えたＬＥＤ電球のように発光させることができ、多数のＬＥＤチップが点光源として作用することにより生ずる眩しさを緩和できる。
【０００９】
請求項２に記載の発明によれば、モジュール基板の表裏両面にＬＥＤチップを実装するので、より多くのＬＥＤチップをＬＥＤ電球の光源として備えることができる。
【図面の簡単な説明】
【００１０】
【図１】本発明の第１実施例に係るＬＥＤ電球を示す斜視図である。
【図２】光拡散部材を除いた本発明の第１実施例に係るＬＥＤ電球を示す斜視図である。
【図３】本発明の第２実施例に係るＬＥＤ電球を示す斜視図である。
【図４】光拡散部材を除いた本発明の第２実施例に係るＬＥＤ電球を示す斜視図である。
【図５】本発明の第３実施例に係るＬＥＤ電球を示す斜視図である。
【図６】光拡散部材を除いた本発明の第３実施例に係るＬＥＤ電球を示す斜視図である。
【実施例１】
【００１１】
以下に本発明を図面に基づき説明するに、図１と図２には本発明の第１実施例に係るＬＥＤ電球１０が示されている。当該ＬＥＤ電球１０はアルミニウム製の放熱体１１、ＬＥＤチップ１２を実装したモジュール基板１３、透明のガラス製または樹脂製のドーム形グローブ１４、口金１５、ＬＥＤチップ１２に電力を供給する点灯回路１６、及び光拡散部材１７を備えている。
【００１２】
放熱体１１は逆円錐台形の外観を有し、放熱体１１の上端面１１ａに円形の台座１１ｂが設けられ、台座１１ｂに３枚のモジュール基板１３が固定されている。各モジュール基板１３は長方形を有し、上端部にＬＥＤチップ１２が実装され、下端部を台座１１ｂに固定することにより台座１１ｂに立てて並べられ、立てて並べた３枚のモジュール基板１３によってモジュール基板群が形成されている。
【００１３】
モジュール基板群は半透明の光拡散部材１７で覆われている。この光拡散部材１７はＬＥＤチップ１２の発する光が通過するときに乱反射して周囲に拡散するように、すりガラス若しくは梨地加工した透光性の合成樹脂材から成り、下端面に開口１７ａを有する中空構造の半球形に成形されている。そして、下端開口１７ａをモジュール基板群に被せて、台座１１ｂに固定されている。各モジュール基板１３はＬＥＤチップ１２を実装した面が光拡散部材１７の外側を向くように並べられている。そして、グローブ１４が光拡散部材１７に被せられ、放熱体１１の上端面１１ａに固定されている。
【００１４】
放熱体１１の下端の開口端面に短尺の筒状絶縁体１８を介して口金１５が装着され、放熱体１１の内部空間と口金１５の内部空間が連通している。そして、放熱体１１及び口金１５の内部空間に点灯回路１６が配置され、各モジュール基板１３と点灯回路１６及び点灯回路１６と口金１５がリード線１９で電気的に接続されている。
【００１５】
第１実施例に係るＬＥＤ電球１０の構造は以上の通りであって、モジュール基板１３を放熱体１１の上端面１１ａの台座１１ｂに立てて並べるので、複数本のモジュール基板１３を放熱体１１に取り付けることができる。そのため、ＬＥＤ電球１０の光源として多数のＬＥＤチップ１２を放熱体１１に設けることができ、ＬＥＤ電球１０の光量の増大を図ることができる。
【００１６】
モジュール基板群を単一の光拡散部材１７で覆ってＬＥＤチップ１２の光を拡散させるので、光源が点光源となる多数のＬＥＤチップ１２から成るにもかかわらず、恰も一つの大きくて、柔らかな光を発する光源を備えたＬＥＤ電球１０のように発光させることができ、多数のＬＥＤチップ１２が点光源として作用することにより生ずる眩しさを緩和できる。
【実施例２】
【００１７】
本発明の第２実施例に係るＬＥＤ電球２０を図３と図４に示す。当該ＬＥＤ電球２０は３枚のモジュール基板２１を備え、台座１１ｂに立てて並べられ、下端部が台座１１ｂに固定されている。各モジュール基板２１の上端部には３個のＬＥＤチップ２２が上下に並べて実装されている。３枚のモジュール基板２１から成るモジュール基板群は中空構造を有する略球形の光拡散部材２３で覆われている。
なお、本実施例に係るＬＥＤ電球２０の他の構成は第１実施例に係るＬＥＤ電球１０と同じであるので、同一の構成要素に同一の符号を付して説明を省略する。
【００１８】
第２実施例に係るＬＥＤ電球２０によれば、モジュール基板２１を台座１１ｂに立てて設けるとともに、各モジュール基板２１に複数個のＬＥＤチップ２２を実装したので、ＬＥＤ電球２０の光源となるＬＥＤチップ２２の数を多くでき、よりＬＥＤ電球２０の光量を増大できる。
【実施例３】
【００１９】
本発明の第３実施例に係るＬＥＤ電球３０を図５と図６に示す。当該ＬＥＤ電球３０は３枚のモジュール基板３１を備え、台座１１ｂに立てて並べられ、下端部が台座１１ｂに固定されている。各モジュール基板３１の上端部には表裏両面にＬＥＤチップ３２が実装されている。３枚のモジュール基板３１から成るモジュール基板群は短尺の円筒形に成形された光拡散部材３３で覆われている。
なお、本実施例に係るＬＥＤ電球３０の他の構成は第１実施例に係るＬＥＤ電球１０と同じであるので、同一の構成要素に同一の符号を付して説明を省略する。
【００２０】
第３実施例によれば、モジュール基板３１を台座１１ｂに立てて設けるとともに、各モジュール基板３１の表裏両面にＬＥＤチップ３２を実装したので、ＬＥＤ電球３０の光源となるＬＥＤチップ３２の数を多くでき、よりＬＥＤ電球３０の光量を増大できる。
【００２１】
なお、上記実施例に係るＬＥＤ電球１０，２０，３０ではすりガラス若しくは梨地加工した透光性の合成樹脂材から成形した光拡散部材１７，２３，３３を用いたが、これら光拡散部材１７，２３，３３を、例えば乳白色等に着色すれば、ＬＥＤ電球１０，２０，３０の発する光をより柔らかくできる。
【符号の説明】
【００２２】
１０…ＬＥＤ電球
１１…放熱体
１２，２２，３２…ＬＥＤチップ
１３，２１，３１…モジュール基板
１４…グローブ
１５…口金
１６…点灯回路
１７，２３，３３…光拡散部材
１８…絶縁体
【図１】
2015026423.tif 000003
【図２】
2015026423.tif 000004
【図３】
2015026423.tif 000005
【図４】
2015026423.tif 000006
【図５】
2015026423.tif 000007
【図６】
2015026423.tif 000008